【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
専用タイプのサービスアプリケーションと通信するように構成されたプリセットされた標準インターフェースを備える端末装置によって、本人認証の操作を実行する方法であって、前記方法は：
前記端末装置により、前記専用タイプのサービスアプリケーションに対応するサーバにより送信される本人認証要求を、前記プリセットされた標準インターフェースを介して受信するステップであって、前記本人認証要求は、前記サーバが前記専用タイプのサービスアプリケーションのサービス要求を受信した後に、前記サーバによって前記端末装置へ送信される、前記受信するステップ（Ｓ１０１）と； 
前記端末装置により、前記専用タイプのサービスアプリケーションの公開鍵に従って、前記本人認証要求内の署名を検証するステップと；
前記端末装置により、前記署名の検証に応じて、ローカルに事前に格納されているサービス認証情報から、前記本人認証要求に対応するアカウントのサービス認証情報を取得するステップと；
前記端末装置により、前記取得したサービス認証情報を含む検証応答メッセージを、前記プリセットされた標準インターフェースを介して前記サーバへ送信するステップと；を備える、
本人認証方法。
【請求項２】
前記端末装置は、ステップを備える操作を実行することにより、サービス認証情報をローカルに事前に格納し、前記ステップは： 
前記専用タイプのサービスアプリケーションにより送信されたアカウントについての紐付け登録要求を、前記プリセットされた標準インターフェースを介して受信するステップと；
前記専用タイプのサービスアプリケーションの前記公開鍵に従って、前記紐付け登録要求内の署名を検証するステップと；
前記署名の検証に応じて、前記紐付け登録要求内に含まれたサービス認証情報を取得するステップと；
前記サービス認証情報と前記アカウントの本人識別情報とをローカルに格納するステップと；
前記端末装置の識別子情報に従って、登録応答メッセージを生成するステップと；
前記登録応答メッセージを、前記プリセットされた標準インターフェースを介して、前記専用タイプのサービスアプリケーションへ返すステップと；を備える、
請求項１に記載の本人認証方法。
【請求項３】
前記端末装置の識別子情報に従って、登録応答メッセージを生成する前記ステップは：
一意の識別子情報と、前記端末装置の装置モデル情報とを取得するステップと；
前記専用タイプのサービスアプリケーションが指定したデータ形式に従って、前記一意の識別子情報と前記装置モデル情報とをアセンブルするステップと；
ローカルの秘密鍵を用いて、前記アセンブルされた情報に署名するステップと；
前記登録応答メッセージを生成するステップと；を備える、
請求項２に記載の本人認証方法。
【請求項４】
前記サービス認証情報と前記アカウントの本人識別情報とをローカルに格納する前記ステップの後に、前記方法は：
アカウントについてのサービス認証情報更新要求を、前記プリセットされた標準インターフェースを介して受信するステップであって、前記サービス認証情報更新要求は、前記専用タイプのサービスアプリケーションにより送信される、前記受信するステップと；
前記サービス認証情報更新要求内の署名を、前記専用タイプのサービスアプリケーションの前記公開鍵に従って検証するステップと；
前記署名の検証に応じて、ローカルに格納されているサービス認証情報に対応する本人識別情報が前記サービス認証情報更新要求に含まれている本人識別情報と一致するかどうかを判定するステップと；
ローカルに格納されたサービス認証情報に対応する本人識別情報が、サービス認証情報更新要求に含まれる本人識別情報と一致するとの判定に応じて、前記サービス認証情報更新要求に含まれているサービス認証情報を取得するステップと；
前記取得したサービス認証情報のバージョン情報が、現在ローカルに格納されている、対応するサービス認証情報のバージョン情報よりも新しいかどうかを判定するステップであって、前記端末装置に現在格納されているサービス認証情報を更新する必要があるかどうかを判定するステップを含む、前記判定するステップと；
前記取得したサービス認証情報のバージョン情報が、現在ローカルに格納されている、対応するサービス認証情報のバージョン情報よりも新しいかどうかの判定に応じて、現在格納されている対応するサービス認証情報を、前記取得したサービス認証情報で置き換えるステップと；を更に備える、
請求項２に記載の本人認証方法。
【請求項５】
前記端末装置により、前記取得したサービス認証情報を含む検証応答メッセージを、前記プリセットされた標準インターフェースを介して前記サーバへ送信する前記ステップの後に、前記方法は：
前記端末装置により、前記専用タイプのサービスアプリケーションに対応する前記サーバにより送信された確認要求を、前記プリセットされた標準インターフェースを介して受信するステップと；
前記端末装置により、前記確認要求に含まれている確認方式タイプ情報を取得するステップと；
前記端末装置により、前記確認方式タイプ情報に従って、対応する確認操作を完了するステップと；を更に備える、
請求項１に記載の本人認証方法。
【請求項６】
他のサービスアプリケーションによって送信されたメッセージは、前記プリセットされた標準インターフェースを介して前記端末装置によって受信されない、
請求項１に記載の本人認証方法。
【請求項７】
前記端末装置により、前記取得したサービス認証情報を含む検証応答メッセージを、前記プリセットされた標準インターフェースを介して前記サーバへ送信する前記ステップは；
前記サービス認証情報を暗号化するステップと；
前記暗号化されたサービス認証情報を応答データパケットとして保存するステップと；
復号化のためにサーバに前記応答データパケットを返すステップと；を備える、
請求項１に記載の本人認証方法。
【請求項８】
前記端末装置は、ウェアラブル装置を備える、
請求項１〜７のいずれか１項に記載の本人認証方法。
【請求項９】
前記サービスアプリケーションは、決済タイプのサービスアプリケーションを備え、
前記専用タイプは、決済を含む、
請求項１〜８のいずれか１項に記載の本人認証方法。
【請求項１０】
専用タイプのサービスアプリケーションに対応するサーバによって実行される、本人認証の操作を実行する方法であって、前記サーバは、端末装置に備えられたプリセットされた標準インターフェースを介して、前記端末装置と通信し、前記方法は：
前記サーバにより、前記専用タイプのサービスアプリケーションのサービス要求を受信するステップと；
前記サーバにより、前記端末装置に備えられたプリセットされた標準インターフェースを介して、前記端末装置へ本人認証要求を送信するステップと；
前記サーバにより、本人認証要求に成功した場合に、前記プリセットされた標準インターフェースを介して前記端末装置から返された、サービス認証情報を含む検証応答メッセージを受信するステップと；
前記サーバにより、サービス認証メッセージに従って、前記サービス要求を処理するステップと；を備える、
本人認証方法。
【請求項１１】
前記サーバにより、前記専用タイプのサービスアプリケーションのサービス要求を受信する前記ステップの前に、前記方法は：
前記サーバにより、アカウントについての紐付け登録要求を、前記端末装置に備えられたプリセットされた標準インターフェースを介して前記端末装置へ送信するステップであって、前記紐付け登録要求は前記アカウントのサービス認証情報を含む、前記送信するステップと；
前記サーバにより、登録の紐付けに成功した場合に、プリセットされた標準インターフェースを介して前記端末装置により返される登録応答メッセージを受信するステップと；
前記サーバにより、前記端末装置の、前記アカウントへの紐付けが成功したことを確認するステップと；を更に備え、
前記登録応答メッセージは、前記端末装置の識別子情報を含む、
請求項１０に記載の本人認証方法。
【請求項１２】
前記サーバにより、前記端末装置の、前記アカウントへの紐付けが成功したことを確認した後に、前記方法は：
前記サーバにより、前記アカウントのサービス認証情報を更新する必要がある場合に、前記アカウントについてのサービス認証情報更新要求メッセージを、前記端末装置に備えられたプリセットされた標準インターフェースを介して、前記端末装置へ送信するステップを更に備え、
前記サービス認証情報更新要求メッセージは、前記アカウントの、更新が必要なサービス認証情報を含む、
請求項１１に記載の本人認証方法。
【請求項１３】
前記サーバにより、サービス認証メッセージに従って、前記サービス要求を処理する前記ステップの後に、前記方法は：
前記サーバにより、前記端末装置が確認方式タイプ情報に従って対応する確認操作を完了できるようにするために、前記サービス要求の処理が完了した後に、前記確認方式タイプ情報を含む確認要求を、前記端末装置に備えられたプリセットされた標準インターフェースを介して、前記端末装置へ送信するステップを更に備える、
請求項１０に記載の本人認証方法。
【請求項１４】
端末装置であって、具体的に：
専用タイプのサービスアプリケーションと通信するように構成されたプリセットされた標準インターフェースと；
請求項１〜９のいずれか１項による本人認証方法を実行するように構成された複数のモジュールと；を備える、
端末装置。
【請求項１５】
専用タイプのサービスアプリケーションに対応するサーバであって、具体的に：
請求項１０〜１３のいずれか１項による本人認証方法を実行するように構成された複数のモジュール；を備える、
サーバ。
【手続補正２】
【補正対象書類名】明細書
【補正対象項目名】００８８
【補正方法】変更
【補正の内容】
【００８８】
上記は、本発明の実施の形態のいくつかの具体的な実装シナリオにすぎない。しかしながら、本発明の実施の形態はこれに限定されるものではない。当業者が想到し得る任意の変更は、本発明の実施の形態のサービス限定範囲内に含まれるものとする。
［第１の局面］
専用タイプのサービスアプリケーションと通信するように構成されプリセットされた標準インターフェースを備える端末装置に実装される本人認証方法であって、前記方法は、具体的に：
前記端末装置により、前記専用タイプの前記サービスアプリケーションに対応するサーバにより送信される本人認証要求メッセージを、前記プリセットされた標準インターフェースを介して受信するステップであって、前記本人認証要求メッセージは、前記サーバが前記専用タイプの前記サービスアプリケーションのサービス要求を受信した後に、前記サーバによって前記端末装置へ送信される、受信するステップと； 
前記専用タイプの前記サービスアプリケーションの公開鍵に従って、前記端末装置により、前記本人認証要求メッセージ内の署名を検証するステップと；
前記検証に成功した場合に、ローカルに事前に格納されているサービス認証情報から、前記本人認証要求メッセージに対応するアカウントのサービス認証情報を、前記端末装置により取得するステップと；、
前記端末装置により、前記取得したサービス認証情報を含む検証応答メッセージを、前記プリセットされた標準インターフェースを介して前記サーバへ返すステップと；を備える、
本人認証方法。
［第２の局面］
前記端末装置は：
前記専用タイプの前記サーバアプリケーションにより送信されたアカウントについての紐付け登録要求メッセージを、前記プリセットされた標準インターフェースを介して、前記端末装置により受信するステップと；
前記専用タイプの前記サービスアプリケーションの前記公開鍵に従って、前記紐付け登録要求メッセージ内の署名を、前記端末装置により検証するステップと；
前記検証に成功した場合に、前記端末装置により、前記紐付け登録要求メッセージ内に含まれたサービス認証情報を取得し、及び、前記端末装置により、前記サービス認証情報と前記アカウントの本人識別情報とを対応付けてローカルに保存するステップと；
前記端末装置の識別子情報に従って、前記端末装置により、登録応答メッセージを生成し、及び、前記登録応答メッセージを、前記プリセットされた標準インターフェースを介して、前記端末装置により前記専用タイプの前記サービスアプリケーションへ返すステップと；を用いてサービス認証情報をローカルに事前に保存する、
第１の局面に記載の方法。
［第３の局面］
前記端末装置の前記識別子情報に従って、前記端末装置により前記登録応答メッセージを生成する前記ステップは、具体的に：
一意の識別子情報と、前記端末装置の装置モデル情報とを前記端末装置により取得するステップと；
前記専用タイプの前記サービスアプリケーションが指定したデータ形式に従って、前記一意の識別子情報と前記装置モデル情報とを、前記端末装置によりアセンブルするステップと；
前記端末装置により、ローカルの秘密鍵を用いて、前記アセンブルされた情報に署名し、前記登録応答メッセージを生成するステップと；を備える、
第２の局面に記載の方法。
［第４の局面］
前記紐付け登録要求メッセージに含まれている前記サービス認証情報を前記端末装置により取得し、及び、前記サービス認証情報と前記アカウントの前記本人識別情報とを、前記端末装置により対応付けてローカルに保存する前記ステップの後に：
前記専用タイプの前記サービスアプリケーションにより送信されたアカウントについてのサービス認証情報更新要求メッセージを、前記プリセットされた標準インターフェースを介して前記端末装置により受信するステップと；
前記サービス認証情報更新要求メッセージ内の署名を、前記端末装置により、前記専用タイプの前記サービスアプリケーションの前記公開鍵に従って検証するステップと；
前記検証に成功した場合に、前記端末装置によりローカルに格納されているサービス認証情報に対応する本人識別情報が前記サービス認証情報更新要求メッセージに含まれている本人識別情報と一致するかどうかを、前記端末装置により判断するステップと；
前記判断の結果が肯定であれば、前記サービス認証情報更新要求メッセージに含まれている前記サービス認証情報を取得するステップと；
前記取得したサービス認証情報のバージョン情報が、現在の前記ローカルに格納されている対応するサービス認証情報のバージョン情報よりも新しいかどうかを、前記端末装置により判断するステップと；
前記判断の結果が肯定であれば、前記端末装置により、現在の前記格納されている対応するサービス認証情報を、前記取得したサービス認証情報で置き換えるステップと；を更に備える、
第２の局面に記載の方法。
［第５の局面］
前記取得したサービス認証情報を含む前記検証応答メッセージを、前記プリセットされた標準インターフェースを介して前記端末装置により前記サーバへ返すステップの後に：
前記専用タイプの前記サービスアプリケーションに対応する前記サーバにより送信された確認要求を、前記プリセットされた標準インターフェースを介して前記端末装置により受信するステップと；
前記確認要求に含まれている確認方式タイプ情報を、前記端末装置により取得するステップと；
前記確認方式タイプ情報に従って、前記端末装置により、対応する確認操作を完了するステップと；を更に備える、
第１の局面に記載の方法。
［第６の局面］
専用タイプのサービスアプリケーションに対応するサーバに実装される本人認証方法であって、前記サーバは、端末装置に含まれプリセットされた標準インターフェースを介して、前記端末装置と通信し、前記方法は、具体的に：
前記サーバにより、前記専用タイプの前記サービスアプリケーションのサービス要求を受信するステップと；
前記端末装置に含まれプリセットされた前記標準インターフェースを介して、前記サーバにより、前記端末へ本人認証要求メッセージを送信するステップと；
本人認証要求に成功した場合に、前記プリセットされた標準インターフェースを介して前記端末装置から返されサービス認証情報を含む検証応答メッセージを、前記サーバにより受信するステップと；
サービス認証メッセージに従って、前記サーバにより前記サービス要求を処理するステップと；を備える、
本人認証方法。
［第７の局面］
前記専用タイプの前記サービスアプリケーションの前記サービス要求を、前記サーバにより受信するステップの前に：
アカウントについての紐付け登録要求メッセージを、前記端末装置に含まれプリセットされた前記標準インターフェースを介して前記サーバにより前記端末装置へ送信するステップであって、前記紐付け登録要求メッセージは前記アカウントのサービス認証情報を含む、送信するステップと；
前記登録の紐付けに成功した場合に、プリセットされた前記標準インターフェースを介して前記端末装置により返される登録応答メッセージを、前記サーバにより受信し、及び、前記端末装置の、前記アカウントへの紐付けが成功したことを前記サーバにより確認するステップと；を備え、
前記登録応答メッセージは、前記端末装置の識別子情報を含む、
第６の局面に記載の方法。
［第８の局面］
前記端末装置の、前記アカウントへの紐付けが成功したことを前記サーバにより確認した後に、前記方法は：
前記アカウントの前記サービス認証情報を更新する必要がある場合に、前記アカウントについてのサービス認証情報更新要求メッセージを、前記端末装置に含まれプリセットされた前記標準インターフェースを介して、前記サーバにより前記端末装置へ送信するステップを更に備え、
前記サービス認証情報更新要求メッセージは、前記アカウントの、更新が必要な前記サービス認証情報を含む、
第７の局面に記載の方法。
［第９の局面］
前記サービス認証メッセージに従ってなされる、前記サーバによる、前記サービス要求の前記処理の後に、前記方法は：
前記端末装置が確認方式タイプ情報に従って対応の確認操作を完了できるようにするために、前記サービス要求の処理が完了した後に、前記確認方式タイプ情報を含む確認要求を、前記端末装置に含まれプリセットされた前記標準インターフェースを介して、前記サーバにより前記端末装置へ送信するステップを更に備える、
第６の局面に記載の方法。
［第１０の局面］
端末装置であって、具体的に：
専用タイプのサービスアプリケーションと通信するように構成されプリセットされた標準インターフェースと；
前記専用タイプのサービスアプリケーションに対応するサーバにより送信された本人認識要求メッセージを、前記プリセットされた標準インターフェースを介して受信するように構成された受信モジュールであって、前記本人認証要求メッセージは、前記サーバが前記専用タイプの前記サービスアプリケーションのサービス要求を受信した後に、前記サーバにより前記端末装置へ送信される、受信モジュールと；
前記受信モジュールにより受信された前記本人認証要求メッセージ内の署名を、前記専用タイプの前記サービスアプリケーションの公開鍵に従って検証するように構成された検証モジュールと；
前記検証モジュールによる前記検証に成功した場合に、前記端末装置へ事前に格納されているサービス認証情報から、前記本人認証要求メッセージに対応するアカウントのサービス認証情報を取得するように構成された取得モジュールと；
前記取得モジュールにより取得され前記サービス認証情報を含む検証応答メッセージを、前記プリセットされた標準インターフェースを介して前記サーバへ返すように構成されたフィードバックモジュールと；を備える、
端末装置。
［第１１の局面］
前記受信モジュールは、前記専用タイプの前記サービスアプリケーションにより送信されたアカウントについての紐付け登録要求メッセージを、前記プリセットされた標準インターフェースを介して受信するように更に構成され；
前記検証モジュールは、前記受信モジュールにより受信された前記紐付け登録要求メッセージ内の署名を、前記専用タイプの前記サービスアプリケーションの前記公開鍵に従って検証するように更に構成され；
前記取得モジュールは、前記検証モジュールによる前記検証に成功した場合に、前記紐付け登録要求メッセージに含まれているサービス認証情報を取得し、前記サービス認証情報と、前記アカウントの本人識別情報とを対応付けて前記端末装置に保存するように更に構成され；
前記フィードバックモジュールは、前記端末装置の識別子情報に従って登録応答メッセージを生成し、前記登録応答メッセージを、前記プリセットされた標準インターフェースを介して、前記専用タイプの前記サービスアプリケーションへ返すように更に構成された；
第１０の局面に記載の端末装置。
［第１２の局面］
更新モジュールを更に備え；
前記受信モジュールは、前記専用タイプの前記サービスアプリケーションにより送信されるアカウントについてのサービス認証情報更新要求メッセージを、プリセットされた前記標準インターフェースを介して受信するように更に構成され；
前記検証モジュールは、前記受信モジュールにより受信される前記サービス認証情報更新要求メッセージ内の署名を、前記専用タイプの前記サービスアプリケーションの前記公開鍵に従って検証し、前記検証に成功した場合に、前記端末装置に格納されている前記サービス認証情報に対応する本人識別情報が前記サービス認証情報更新要求メッセージに含まれている本人識別情報と一致するかどうかを判断するように更に構成され；
前記取得モジュールは、前記検証モジュールの前記判断の結果が肯定である場合に、前記サービス認証情報更新要求メッセージに含まれている前記サービス認証情報を取得するように更に構成され；
前記更新モジュールは、前記取得モジュールが取得する前記サービス認証情報のバージョン情報が、前記端末装置へローカルに格納されている現在の前記対応サービス認証情報のバージョン情報よりも新しいかどうかを判断し、前記判断の結果が肯定である場合には、前記端末装置に現在格納されている前記対応サービス認証情報を、前記取得モジュールにより取得された前記サービス認証情報と置き換えるように構成された、
第１１の局面に記載の端末装置。
［第１３の局面］
前記受信モジュールは、前記専用タイプの前記サービスアプリケーションに対応する前記サーバにより送信される確認要求を、プリセットされた前記標準インターフェースを介して受信するように更に構成され；
前記取得モジュールは、前記確認要求に含まれている確認方式タイプ情報を取得し、これにより、前記端末装置が前記確認方式タイプ情報に従って、対応する確認操作を完了するように更に構成された、
第１０の局面に記載の端末装置。
［第１４の局面］
専用タイプのサービスアプリケーションに対応するサーバであって、具体的に：
前記専用タイプの前記サービスアプリケーションのサービス要求を受信すると、端末装置に含まれプリセットされた標準インターフェースを介して、前記端末装置へ本人認証要求メッセージを送信するように構成された送信モジュールと；
本人認証要求に成功した場合に、プリセットされた前記標準インターフェースを介して前記端末装置から返されサービス認証情報を含む検証応答メッセージを受信するように構成された受信モジュールと；
前記サービス要求を、前記受信モジュールにより受信されたサービス認証メッセージに従って処理するように構成された処理モジュールと；を備える、
サーバ。
［第１５の局面］
前記送信モジュールは、アカウントについての紐付け登録要求メッセージを、前記端末装置に含まれプリセットされた前記標準インターフェースを介して、前記端末装置へ送信するように更に構成され、前記紐付け登録要求メッセージは前記アカウントのサービス認証情報を含み；
前記受信モジュールは、前記登録の紐付けに成功した場合に、プリセットされた前記標準インターフェースを介して、前記端末装置により返された登録応答メッセージを受信し、前記端末装置による前記アカウントへの紐付けに成功したことを確認するように更に構成され、前記登録応答メッセージは、前記端末装置の識別子情報を含む；
第１４の局面に記載のサーバ。
［第１６の局面］
前記送信モジュールは：
前記アカウントの前記サービス認証情報を更新する必要がある場合に、前記アカウントについてのサービス認証情報更新要求メッセージを、前記端末装置に含まれプリセットされた前記標準インターフェースを介して、前記端末装置へ送信し、前記サービス認証情報更新要求メッセージは、前記アカウントの更新が必要な前記サービス認証情報を含む；
及び／又は、
前記処理モジュールが前記サービス要求の処理を完了した後に、確認方式タイプ情報を含む確認要求を、前記端末装置に含まれプリセットされた前記標準インターフェースを介して前記端末装置へ送信し、これにより、前記端末装置が、前記確認方式タイプ情報に従って対応の確認操作を完了する：ように更に構成された、
第１４の局面に記載のサーバ。